(57)【要約】球面収差補正機構は、少しだけ球面収差補正の初期設定から外される球面収差補正装置の種々の設定について応答を測定し、光媒体における種々の多層について予測される応答とそれらの応答を比較することにより起動処理において迅速に最適化される。信号測定及び較正は、ディスクからデータを読み出すことを試みることに先だって、又はディスクからデータを読み出すことと同時に実行されることが可能である。それらの応答を、種々の層についての理想的な、典型的な又は予測される曲線と比較することにより、現在の層のアドレスを導き出すことができ、所望の層に迅速にアクセスすることができる。
2008545216.tif 000002
【特許請求の範囲】
【請求項１】
複数の層を有する光媒体を有する複数の種類の光媒体を読み出すことができる光媒体プレーヤ／レコーダシステムにおいてフォーカシングする方法であって、前記光媒体プレーヤ／レコーダシステムは球面収差を補正する球面収差補正機構を有する、方法であり：
光媒体において認識されていない層において放射線ビームをフォーカシングする段階；
前記認識されていない層から遠ざかる第１方向にフォーカシングするために前記球面収差補正機構を調節する段階；
前記第１方向において調節した後、第１応答を測定する段階；
前記第１方向と逆の第２方向において前記球面収差補正機構を調節する段階；
前記第２方向において調節した後、第２応答を測定する段階；並びに
前記第１応答及び前記第２応答から認識された層を決定する段階；
を有する方法。
【請求項２】
請求項１に記載の方法であって、前記第１応答及び前記第２応答を測定する段階は、それぞれの第１方向及び第２方向において前記球面収差補正機構を調節している間に、応答の第１集合及び第２集合を測定する段階を更に有する、方法。
【請求項３】
請求項１に記載の方法であって、前記球面収差補正機構は移動可能な光学系の集合を更に有する、方法。
【請求項４】
請求項３に記載の方法であって、前記移動可能な光学系の集合はコリメータレンズを有する、方法。
【請求項５】
請求項１に記載の方法であって、前記の認識された層を決定する段階は、前記光媒体における層の周りにおけるフォーカシングから予測される応答を表す曲線の集合と前記第１応答及び前記第２応答を比較する段階を更に有する、方法。
【請求項６】
請求項５に記載の方法であって、前記の認識された層を決定する段階は、前記認識された層にしたがって最適化されたプッシュプル変調のために前記球面収差補正機構を調節する段階を更に有する、方法。
【請求項７】
請求項６に記載の方法であって、前記球面収差補正機構は、前記光ディスクからデータを読み出すことに先だって前記光媒体における各々の層について最適化される、方法。
【請求項８】
請求項１に記載の方法であって、前記球面収差補正機構は液晶装置を更に有する、方法。
【請求項９】
請求項１に記載の方法であって、前記の認識された層を決定する段階は、前記球面収差補正機構についての予測曲線の集合に対する前記第１応答及び前記第２応答により決定された応答曲線をマッチングさせる段階を更に有する、方法。
【請求項１０】
請求項９に記載の方法であって、前記の応答曲線をマッチングさせる段階は、前記球面収差補正機構についての予測曲線の集合に対する前記第１応答及び前記第２応答により決定される応答曲線の二次曲線適合化である、方法。
【請求項１１】
複数の層を有する光媒体を有する複数の種類の光媒体を読み出すことができる光媒体プレーヤ／レコーダシステムであって、前記光媒体プレーヤ／レコーダシステムは球面収差を補正する球面収差補正機構を有する、光媒体プレーヤ／レコーダシステムであり：
光媒体において認識されていない層において放射線ビームをフォーカシングする光学系；
前記認識されていない層から遠ざかる第１方向において、そして前記第１方向と逆の第２方向においてフォーカシングするための前記球面収差補正機構の調節装置；
前記第１方向においてフォーカシングした後に第１応答を、そして第２方向において調節した後に第２応答を測定する検出器；並びに
前記第１応答及び前記第２応答から認識された層を決定する前記光媒体プレーヤ／レコーダにおける決定システム；
を有する光媒体プレーヤ／レコーダシステム。
【請求項１２】
請求項１１に記載の光媒体プレーヤ／レコーダシステムであって、前記第１応答及び前記第２応答の前記検出器は、それぞれの第１方向及び第２方向において前記球面収差補正機構を調節している間に、応答の第１集合及び第２集合を更に検出する、光媒体プレーヤ／レコーダシステム。
【請求項１３】
請求項１１に記載の光媒体プレーヤ／レコーダシステムであって、前記球面収差補正機構は移動可能な光学系の集合を更に有する、光媒体プレーヤ／レコーダシステム。
【請求項１４】
請求項１３に記載の光媒体プレーヤ／レコーダシステムであって、前記移動可能な光学系の集合はコリメータレンズを有する、光媒体プレーヤ／レコーダシステム。
【請求項１５】
請求項１１に記載の光媒体プレーヤ／レコーダシステムであって、前記決定システムは、前記光媒体における層の周りにおけるフォーカシングから予測される応答を表す曲線の集合と前記第１応答及び前記第２応答を比較する比較機構を更に有する、光媒体プレーヤ／レコーダシステム。
【請求項１６】
請求項１５に記載の光媒体プレーヤ／レコーダシステムであって、前記決定システムは、前記認識された層にしたがって最適化されたプッシュプル変調のために前記球面収差補正機構を調節することができる調節機構を更に有する、光媒体プレーヤ／レコーダシステム。
【請求項１７】
請求項１６に記載の光媒体プレーヤ／レコーダシステムであって、前記球面収差補正機構は、前記光ディスクからデータを読み出すことに先だって前記光媒体における各々の層について最適化される、光媒体プレーヤ／レコーダシステム。
【請求項１８】
請求項１１に記載の光媒体プレーヤ／レコーダシステムであって、前記球面収差補正機構は液晶装置を更に有する、光媒体プレーヤ／レコーダシステム。
【請求項１９】
請求項１１に記載の光媒体プレーヤ／レコーダシステムであって、前記球面収差補正機構は、前記球面収差補正機構についての予測曲線の集合に対する前記第１応答及び前記第２応答により決定された曲線をマッチングさせる応答曲線マッチング機構を更に有する、光媒体プレーヤ／レコーダシステム。
【請求項２０】
請求項１９に記載の光媒体プレーヤ／レコーダシステムであって、前記応答曲線マッチング機構は、前記球面収差補正機構についての予測曲線の集合に対する前記第１応答及び前記第２応答により決定される応答曲線の二次曲線適合化を更に有する、光媒体プレーヤ／レコーダシステム。
【発明の詳細な説明】
【技術分野】
【０００１】
本発明は、光ディスク認識に関し、特に、光ディスクにおける層情報の認識に関する。
【背景技術】
【０００２】
近年、開発された光ディスクプレーヤ／レコーダは、典型的には、複数の種類の光ディスクにより動作することが可能である。一旦、光ディスクプレーヤ／レコーダにディスクが置かれると、光ディスクプレーヤ／レコーダはディスクの種類を判定する。例えば、ＨＤ−ＤＶＤディスク又はブルーレーディスク（ＢＤ）等の１つ又はそれ以上の最近のディスクフォーマットにより動作するディスクプレーヤ／レコーダにおいては、例えば、一層情報又は二層情報等のディスクについての層情報は、ＤＶＤディスクについての制御データ領域又はＢＤについての情報領域を読み出すことにより検索されることが可能である。従来、それらの種類のプレーヤ／レコーダは、ディスクからもたらされる信号を測定し、較正することにより、そしてＨＦ及びウォブル位相ロックループを初期化することにより、ディスクを認識する複雑なアルゴリズムを実行することにより層情報を検索することができる。
【０００３】
現在、存在しているＢＤ多層ディスクは２つの記録層を有する。ここで、Ｌ１と表す記録層は、図１に示すように、カバー層から約７５μｍの距離に存在している。ここで、Ｌ０と表す記録層は、図１にまた、示すように、カバー層から約１００μｍの距離に位置付けられている。Ｌ０及びＬ１の記録層の両方は約１０μｍの厚さを有する。図１から明らかであるように、カバー層は、記録層Ｌ０か又はＬ１のどちらかよりかなり厚い。カバー層の厚さにおける変化は、補償を必要とする記録層Ｌ０、Ｌ１のフォーカシングにおいて球面収差をもたらす。それらの変化を補償する一方法は、移動可能なコリメータレンズを介するものである。
【０００４】
フォーカシングされている現在の層のような、多層ディスクにおける層情報は、現在の層に関連するディスクにおける情報を読み出すことにより検索されることができる。ＤＶＤ又はＢＤの場合の現在の層についての情報が、ヘッダ又はＡＤＩＰアドレス（ＡＤｒｅｓｓｅｓ  Ｉｎ  ｔｈｅ  Ｐｒｅｇｒｏｏｖｅ、又はウォブリングアドレスともいう）を読み出すことにより得られる。
【０００５】
アドレスを読み出すことは、起動時手順ワンスサーボにおいて後の段階に達成され、ＨＦ及びウォブル信号は適切に得られ、適切な品質を有する。
【０００６】
ここで一般に表している“起動”とは、一旦、ディスクがプレーヤ／レコーダに置かれると、ディスクを用いるために開始される初期手順のことをいう。起動時には、ディスクの種類に関連する種々の因子は認識されていない。多層ディスクについての、特に、異なる種類の光媒体により動作するプレーヤ／レコーダにおける起動は、多くの未知の因子を与える。起動時のそれらの未知の因子の中には、ディスクの種類が単層ディスクであるか又は多層ディスクであるかということがある。ＢＤ型媒体においては、基板の厚さは信号品質に大きい影響を与える。多層の記録層を有するＢＤ型媒体の起動時に、プレーヤ／レコーダは、フォーカシングされている現在の層にしたがった球面収差を補正する機構を通常は有する。球面収差を補正するそれらの機構は、典型的には光媒体における層の何れかにフォーカシングするために所望される最適値間にある位置にプリセットする。球面収差を補正する一般に用いられている機構は、モータを備えたコリメータレンズ及び液晶球面収差補正機構である。
【０００７】
例えば、多層のＢＤ型光媒体においては、現在、２つの層が存在する。用いられている球面収差補正機構の一の種類は、一般に、コリメータをいう、球面収差を補正するためのコリメータレンズに関連する光学系を移動させるモータに備えられているコリメータレンズである。典型的には、起動時に、コリメータを用いるシステムは、二層ディスクの２つの層の最適値に対する中央の位置に予め設定される。この中央位置は、両方の層について記憶されている最適位置から演算される、工場で予め設定される、又は通常の使用時に学習される、又はそれらが組み合わされて行われる。記録層の何れかに対して最適値に設定されない球面収差を補正する機構の結果として、焦点及びトラッキングについて結果的に得られるサーボ信号の品質は最適ではない。最適値間の球面収差を補正するための機構を置くための理論的根拠は、焦点及びトラッキングについてのサーボ制御信号がＢＤ二層ディスクの両方の層に対して近接していることである。例えば、コリメータレンズの場合、その位置は、それら２つの層の間の中間の位置に設定される。液晶装置が、光媒体にフォーカシングされる波面を調節するように用いられる球面収差補正機構として調節するように用いられる場合、同様の理論が一般に用いられる、即ち、どちらかの層に対する最適値は起動時には存在しない。
【０００８】
一旦、その層情報が認識されると、球面収差補正機構において、コリメータレンズはその層の最適位置の方に移動されることができる。液晶球面収差補正機構の場合、バイアス電圧が、当該技術分野において既知である方法で光学特性を修正するように調節されることが可能である。その設定及びパラメータは、その場合、調節され、特にその特定の層の最適な性能に設定される。典型的には、それらの較正は、最適な信号品質を決定するように繰り返される。
【０００９】
上記の手法において存在する課題は、層情報が十分に認識される前に、起動時に過度に時間が費やされることである。従来は、多層ディスクについての起動時には、球面収差補正機構は最適化されていない。球面収差補正機構が設定されたコリメータレンズである場合、そのコリメータレンズは、特定の層について最適化されていない所定の位置に動かされる。球面収差補正機構が液晶に基づく装置である場合、その液晶装置は、特定の層について最適化されていない所定の設定に設定される。光ヘッドは、典型的には、層を探索するように焦点−エラー信号を用い、ドライブは、工場で書き込まれた最適な球面収差補正機構の設定をその層から読み出すことを試みる。それ故、起動処理においてより早く層情報を与え、実施されるべき層に特定のパラメータを可能にすることができるシステム及び方法についての当該技術分野における要請が依然として存在している。
【発明の開示】
【課題を解決するための手段】
【００１０】
従来技術における上記の短所については、コリメータ及び液晶球面収差補正機構の両方に適用することができる、以下に説明する実施形態により対処することができる。以下で説明する実施形態は、球面収差補正機構を最適化することができる。以下に説明する実施形態は、起動処理における初期にディスクからデータを読み出すことに先だって又はそれと同時に、プッシュプルか又はｄｐｄ変調を用いて球面収差補正機構を最適化することができる。信号測定及び較正は、その場合、ディスクからデータを読み出すことを試みることに先だって実行されることができる。それらの実施形態は、フォーカシングされている層の極めて迅速な決定を可能にする、典型的な、理想的な又は予測できる応答により球面収差補正機構からの最初の応答と比較することによりそれらの特徴を与えることができる。一旦、現在の層が認識されると、所望の層に即座にアクセスすることができる。
【発明を実施するための最良の形態】
【００１１】
球面収差補正機構が、現在、フォーカシングされている層について特定の最適値に設定されていない場合、フォーカスループ及び径方向ループは有効に使用されることはない。多くの信号最適化手法は、その場合、アドレスの読み出しを可能にする適切なｈｆ及びウォブル品質をもたらすことが可能である。現在のところ、球面収差は、現在の層についての正確な位置に設定されることが可能である。焦点が捕捉されるとすぐに、球面収差補正器を最適化する（例えば、最大プッシュプル又はｄｐｄ振幅の方に）ことにより、全ての信号の測定及び較正は、適切な球面収差設定により既に行われていることが可能である。時間を節約することができ、それにより、ディスクの認識を高速化することができる。
【００１２】
一実施形態においては、球面収差補正器の最適化の結果として層情報検出を用いている。層情報を認識する起動処理が迅速であればある程、多くの判定が迅速に行われることができる。トラックは、典型的には、パラレルトラックパス（ＰＴＰ）又はオポジットトラックパス（ＯＴＰ）と称せられる２つの異なるモードの一において記録される。ＰＴＰモードにおいては、層０及び層１の両方について、ディスクにおける情報領域の半径方向の内方から外方に読み出される。ＯＴＰは、ディスクの内側において開始する螺旋トラックに書き込まれるときに層Ｌ０を、ディスクの外側において開始する螺旋トラックを有する場合に層Ｌ１を規定する、媒体の二層ＢＤ及びＤＶＤにおいて採用される規格である。ＯＴＰを用いる場合、トラックは、プレーヤ／レコーダが各々の層にアクセスするために同じ方向に回転するようにして書き込まれる。ＯＴＰは、プレーヤ／レコーダが一の層から他の層により迅速に切り替わることを可能にする。トラック方向（ＯＴＰ又はＰＴＰ等）に加えて、起動処理におけるより迅速な層情報認識は、層特定コンテンツがそれらの層について実行されることができるように較正及び設定を可能にする。
【００１３】
一実施形態においては、光媒体プレーヤ／レコーダシステムは、複数の層を有する光媒体を有する複数の種類の光媒体を読み出すことができ、その光媒体プレーヤ／レコーダは球面収差を補正する球面収差補正機構を有する。層情報は、フォーカシングされる層について、最大プッシュプル変調の方に向かって球面収差の最適化を実行することにより、起動処理における初期の段階において得られる。球面収差補正の目的位置は、カバー層の厚さの結果として生じる球面収差のためにかなり明確である必要がある。これは、本実施形態においては、光学系が設定されている現在の層及び光媒体に最初にフォーカシングすることにより達成される。球面収差を補正するための機構及び焦点は第１方向において調節され、その調節に対する応答の測定が行われる。球面収差を補正するための機構及び焦点は、第１方向と逆の第２方向において調節され、その調節に対する応答の測定が行われる。それらの測定から、応答曲線が確立され、記録層の各々についての予測応答曲線と比較される。その比較の結果に最も近い応答曲線と適合する層の決定が行われ、プレーヤ／レコーダは、この層について特に好ましいパラメータ及び設定を実施する。一旦、現在の層が認識されると、そのシステムは、それらの層について特に最適化されるパラメータ及び設定を用いて、光媒体の複数の層における動作を進める。その結果、最適な球面収差補正が、上記の従来の方法に比べて、起動過程においてかなり迅速に行われることになる。
【００１４】
他の実施形態においては、球面収差を補正するための機構として、コリメータレンズ位置が用いられる。コリメータレンズの位置決めは、カバー層の厚さの結果として生じる球面収差のために、かなり明確である必要がある。図２は、移動するコリメータレンズ（コリメータ）を用いるＢＤドライブにおいて用いられる光学系１０の模式図である。図２は、ブルーレイディスク１２を読み出す及びそのディスクに記録するために用いられるドライブにおいて用いられる種類の光学系１０を示している。図２に示しているブルーレイシステムにおいては、４５０ｎｍの光がブルーレイレーザ１６から発光され、その光はコリメータレンズ１４を介してビームスプリッタ２６から反射されるかなりの部分を有する。コリメータレンズ１４は、ビームスプリッタ２６から入射する光を受け入れ、ミラー２４に入射する略平行光を生成する。ミラー２４は、対物レンズ１８の方に‘平行’光を反射し、ディスク１２に光ビームをフォーカシングする。ディスク１２から反射された光は、対物レンズ１８により平行光にされる。対物レンズ１８の焦点位置は、焦点オフセットサーボ１９により制御される。ディスクから反射された光は、対物レンズ１８を透過し、コリメータレンズ１４を介してミラー２４により反射される。コリメータレンズ１４を透過した反射光ビームは、ビームスプリッタ２６の方に集束し、そのビームスプリッタはサーボレンズ２２及び検出器２２にかなりの部分を渡す。
【００１５】
ディスクにおけるスポットは、矢印１９で示されている方向に、ディスクに対して対物レンズ１８を移動させる焦点オフセットサーボ１９を作動させることによりデフォーカシングされることが可能である。コリメータサーボ１５によりコリメータレンズ１４の位置を変化させることにより、光ビームを発散する又は集束することが可能であり、必要に応じて、少なくとも一部が非平行なビームを生成することが可能である。このような非平行ビームは、対物レンズにおける付加的な球面収差を生成する。これは、対物レンズ１８とディスクのカバー層の厚さとの間のミスマッチによりもたらされる球面収差に付加される。
【００１６】
ＢＤ規格は、ＢＤディスク１２における各々の層が、図１に示す層Ｌ０（１００μｍ）及び層Ｌ１（７５μｍ）についての公称値から５μｍずれることを可能にする。読み出しは最大８μｍの球面収差補償サーボ又はＳＡサーボエラーまで可能であるが、そのような大きいマージンは、事実上、ドライブ又はディスクにおける他の悪化を補償するためのマージンを残してはいない。
【００１７】
ＢＤドライブのデザインを経済的に見合うように保つために、従来の４つの部分を有するフォトダイオード検出素子が、焦点エラー及び径方向トラッキングエラー信号生成のために一般に用いられる。球面収差を測定するようにより複雑なフォトダイオード検出素子を要求することは、そのシステムに対して許容できないコストの増大をもたらす。それ故、システムのコストを低く維持するように、付加検出器を用いることなく、従来の４つの部分を有する検出素子を用いることが望ましい。その結果、現在利用可能なＢＤドライブアーキテクチャは、カバー層厚さ補償サーボ（球面収差補償サーボ又はＳＡサーボともいう）の制御を可能にするように直接エラー信号を供給することはできない。
【００１８】
ＲＯＭディスクから読み出される光ディスクシステムにおいて、焦点オフセット及びＳＡサーボは、読み出されたＨＦ信号のジッタを用いて最適化されることが可能である。しかしながら、ＢＤ−Ｒ、再書き込み可能ＢＤ−ＲＥ又はＤＶＤ＋Ｒ等のブランクの記録可能ディスクにおいては、ＨＦ信号を生成するどれからのデータも利用可能でない。それ故、ブランクの記録可能及び再書き込み可能光ディスクにおいて起動時に、焦点オフセット及びＳＡサーボを最適化することにおける課題が存在している。
【００１９】
従来のブルーレイディスク書き込みシステムは、ＨＦ信号の存在を保証しない。それらの現在、利用可能なブルーレイ書き込みシステムは、典型的には、ＳＡサーボの最適化について、プッシュプル方法論を用いる。一般的な方法は、プッシュプル振幅又はプッシュプル電力を測定することにより起動時にＳＡサーボを最適化するようになっている。プッシュプルの最適化は、更なる最適化を可能にする十分に適切な設定を与える。
【００２０】
図３は、カバーレターの結果として生じる球面収差を補正するように位置付けられているコリメータを用いるＢＤシステムについてのグラフを示している。図３は、Ｌ０及びＬ１の記録層の両方におけるフォーカシングにおいてそれらの球面収差を補正するようにコリメータサーボ１５によりコリメータレンズ１４の代表的な位置決めを示している。図３から明らかであるように、Ｌ０及びＬ１層について用いられるコリメータの位置の間には大きい差が存在している。図３に示すコリメータレンズ１４の位置決めを用いるＢＤドライブにおいては、コリメータレンズ１４の移動は３８００μｍに亘る距離をカバーすることができ、Ｌ１記録層の最適な位置は２１７５μｍにあり、Ｌ０記録層の最適な位置は１１７５μｍにある。コリメータ位置におけるこの１０００μｍの差は、Ｌ０及びＬ１記録層間に存在するカバー層の表面からの距離で２５μｍの差からもたらされる球面収差における変化を補償するために必要である。この２５μｍの差は、Ｌ０記録層についてカバー層における付加的な２５μｍの厚さとみなすことができる。
【００２１】
プレーヤ／レコーダにより支持されている各々の種類のディスク全ての各々の層についての最適なコリメータ位置は、製造中にデフォルト値にプリセットされる。そのデフォルト値はモニタされ、起動時に平均化される。コリメータレンズが光媒体から遠ざかるように及び近づくようにかなり小さくインクリメントして移動されるようにしてコリメータ１５を調節することにより、各々の位置について検出されるそれぞれの値を測定し、両方の層について記憶されている値に対して応答値を比較して、現在の層の高信頼性の仮定が得られ、その層について特定である情報が、その層自体からの情報を読み出すことか、又はプレーヤ／レコーダにおいて記憶されている情報を用いることのどちらかにより利用可能であるようにすることができる。有効な測定パラメータへの二次曲線の適合は、図３における曲線はフォーカシングされている現在の層及び受け入れられている応答と適合する最適な決定をもたらす。カバー層の厚さ、それ故、特定の層に共通である応答の位置を比較することにより、現在の層を決定することができる。
【００２２】
他の実施形態においては、球面収差補正機構として液晶に基づく装置を用いる。球面収差補正機構としての液晶に基づく装置を有するシステムを実施するためには、状況及び構成は、液晶装置（図示せず）を制御するそれぞれのエレクトロニクスに対して全体的なコリメータサーボ１５を変化させることと、液晶装置に対してコリメータレンズを変化させることとにより、図２及び３に関連付けて上で説明している場合と同様である。この実施形態においては、曲線の集合は、図３に示すプレーヤ／レコーダと同様のプレーヤ／レコーダにおいて記憶される。起動時に、液晶装置は、特定の層について最適化されていない所定の設定に設定される。液晶装置を制御するエレクトロニクスは、小さい量近づく及び小さい量遠ざかるように、焦点のために液晶装置についての設定を交互に変化させる。その曲線の集合に対して測定される且つ比較されるその調節の応答は、コリメータ１５について上記している場合と同様の方法で、プレーヤ／レコーダにおいて記憶される。そのプレーヤ／レコーダは、その場合、どの層が現在フォーカシングされているかを適切に決定するように、内部に記憶されている曲線に対して測定された応答を適合させることができる。
【００２３】
上記の及び他の目的は、未知の層にフォーカシングし、プッシュプルか又は差分位相検出（ｄｐｄ）のどちらかを用いてより近い及びより遠い距離に現在の球面収差補正機構を変え、応答振幅が近い及び遠い焦点距離の両方について測定されることにより、現在の層を決定することによって達成される。曲線適合化は、ディスクにおいて有される層についての予測される応答と実際の応答を適合することにより行われる。二次曲線は、近い距離及び遠い距離にフォーカシングするための球面収差補正機構の変化に対して受け入れられた応答間で適合され、各々の層についての予測曲線は球面収差補正機構の設定のための最適値を得る。上記の２層のＢＤ媒体においては、近い及び遠い距離においてフォーカシングする球面収差補正機構に対して測定された応答から生成される曲線は、図３に示している２つの曲線の一の様に現れる。この曲線は、球面収差補正機構についてコリメータレンズを用いる実施形態のためのコリメータ一の周りに、又は、球面収差補正機構としての液晶装置を用いる実施形態における液晶装置のための設定及びバイアスの周りに位置付けられる。この曲線は、その場合、層の一について特定である。この最適な位置を、特定の層のためのカバー層の厚さについて共通の位置と比較することにより、現在の層を決定することができる。
【００２４】
図３は、ディスクにおける複数の層の異なるコリメータ位置に対するプッシュプル振幅についての曲線を示す図である。図３は、ＢＤ型光媒体におけるＬ１層についてのプッシュプル振幅の代表的なＬ１曲線３２についての測定を示している。Ｌ１曲線３２は、Ｌ１曲線３２の最適プッシュプル振幅であるコリメータ位置３３において最大振幅を有する。Ｌ０曲線３４は、ＢＤ型光媒体におけるＬ０層についてのプッシュプル振幅の代表であるＬ０曲線３４についての測定を示している。Ｌ０曲線３２は、Ｌ０曲線３４の最適プッシュプル振幅であるコリメータ位置３７において最大振幅を有する。Ｌ１  ３２及びＬ０  ３４曲線はコリメータ位置３５において交差している。上記のように、図３に示しているＸ軸に沿った左右へのコリメータ位置の移動及びその移動に応答する測定は、実際の応答とＬ１  ３２か又はＬ０  ３４曲線のどちらかとの間の曲線適合化を可能にする。一旦、曲線適合化が得られると。フォーカシングされている現在の層が認識され、その層について特定のパラメータ及び設定を行うことができる。上記の説明はＢＤ型媒体におけるコリメータの位置決めに関するものであるが、それらの上記の概念は、ＤＶＤ型媒体及びより新しい高密度の型のＤＶＤ媒体のような他の型の媒体に適用されることが可能であることを、当業者は容易に理解することができるであろう。液晶機構が球面収差補正機構として用いられることができ、コリメータ位置がその液晶機構についての設定により位置決めされることができることを更に、当業者は容易に理解することができるであろう。上記の比較は、記録、学習、最適位置の方に、そして工場におけるプリセット又は以前の成功裏のディスク認識からなされることが可能である。それらの手法は、カバー層の厚さの変化及び多層ディスクによりもたらされる球面収差についての補正を必要とする全ての種類の光記憶プロダクトにおいて実行されることが可能である。
【図面の簡単な説明】
【００２５】
【図１】光媒体における多層について示す図である。
【図２】光ディスクプレーヤ／レコーダを有する光学系を示す図である。
【図３】ディスクにおける多層についての異なる球面収差補正設定のためのプッシュプル振幅についての曲線を示す図である。
【図１】
2008545216.tif 000003
【図２】
2008545216.tif 000004
【図３】
2008545216.tif 000005
【国際調査報告】
2008545216.tif 000006
2008545216.tif 000007